(57)【要約】【課題】簡易なカード情報管理システムを提供し、利用者がカードを多数携帯するという不自由を解消する。【解決手段】カード情報管理システムは、利用者ＩＤを含むカード情報が記録されたカード５０と、カード５０の発行店舗等に配置される店舗端末２００と、カード５０からカード情報を読み取るための画像撮影機能、磁気リーダ機能を備えた携帯通信端末１００とを備えている。さらに、カード情報を記憶部に格納可能な情報サーバ装置３００と、携帯通信端末１００、店舗端末２００、および情報サーバ装置３００を相互に接続するインターネット等の通信ネットワーク４００と、を備える。情報サーバ装置に格納されたカード情報は、必要に応じて利用者の携帯通信端末にダウンロードでき、利用者がカードを多数携帯する不自由を解消する。【選択図】      図４
2005277691.tif 000002
【特許請求の範囲】
【請求項１】
無線基地局との間で無線信号を送受する無線通信部と、磁気記録情報読み取り部と、バーコード情報読み取り部と、前記磁気記録情報読み取り部および前記バーコード情報読み取り部が読み取った情報を表示する表示部と、を備えていることを特徴とする携帯通信端末。
【請求項２】
前記磁気記録情報読み取り部は、磁気リーダであることを特徴とする請求項１記載の携帯通信端末。
【請求項３】
前記磁気リーダは磁気ライタ機能を備えることを特徴とする請求項２記載の携帯通信端末。
【請求項４】
前記バーコード情報読み取り部は、カメラであることを特徴とする請求項１〜３のいずれか一項に記載の携帯通信端末。
【請求項５】
さらに、音声信号処理を行う送受話部を備えることを特徴とする請求項１〜４のいずれか一項に記載の携帯通信端末。
【請求項６】
さらに、ＧＰＳ測位部を備えることを特徴とする請求項１〜５のいずれか一項に記載の携帯通信端末。
【請求項７】
ヒンジ部を軸に相互に回転して折り畳み可能な第一の筺体および第二の筺体を備えることを特徴とする請求項１〜６のいずれか一項に記載の携帯通信端末。
【請求項８】
利用者情報を含むカード情報が記録されたカードと、前記カードからカード情報を読み取る読取手段を有する携帯通信端末と、前記携帯通信端末が読み取った前記カード情報を格納する記憶手段を有する情報サーバ装置とを備えたカード情報管理システムであって、前記携帯通信端末は請求項１〜７のいずれか一項に記載の携帯通信端末であり、前記情報サーバ装置は、前記携帯通信端末からの要求に応じて、受信した前記カード情報の登録と、登録した前記カード情報の読出・送信および削除と、を制御する制御手段を有することを特徴とするカード情報管理システム。
【請求項９】
前記情報サーバ装置の前記制御手段は、前記携帯通信端末の端末位置情報、前記携帯通信端末の利用者が保持する前記カードの保持カード情報、および前記カードの利用店舗情報に基づき所定のカード情報を抽出し、前記携帯通信端末に送信する機能を備えることを特徴とする請求項８に記載のカード情報管理システム。
【請求項１０】
前記所定のカード情報は、少なくとも利用者情報および利用ポイント情報を含み、前記携帯通信端末は、受信した前記所定のカード情報の前記利用ポイント情報が所定値以上の時、前記利用ポイント情報の表示を含む報知動作を行う機能を備えることを特徴とする請求項９に記載のカード情報管理システム。
【請求項１１】
前記携帯通信端末は、前記情報サーバ装置から受信した前記カード情報を、カードに書き込む書込手段を有することを特徴とする請求項８に記載のカード情報管理システム。
【請求項１２】
前記携帯通信端末は、個人用の携帯情報端末または携帯電話であることを特徴とする請求項８〜１１のいずれか一項に記載のカード情報管理システム。
【発明の詳細な説明】
【技術分野】
【０００１】
本発明は、カード情報管理システムに関し、特に携帯通信端末を利用して磁気カードやバーコードカードなどの汎用カードの情報管理を容易に行うことができるカード情報管理システムに関する。
【背景技術】
【０００２】
近年、情報管理カードとしては、ＩＣチップ内蔵カードなどが使用され始めており、カードの高機能化が図られている。
【０００３】
しかしながら、ＩＣチップ内蔵カードなどの高機能カードは、一般的には高価であり、使用用途や分野はクレジットカードなど高度なセキュリティ機能や改竄防止が求められる分野などに限定されている。従って、用途や目的によっては、高度なセキュリティや記憶容量を求められない場合がある。このような場合には、従来の磁気カードやバーコード（２次元コード含む）カード等の汎用型のプラスチックカードが今後も広く用いられることが予想されている。
【０００４】
しかし、このような汎用型のカードは、利用者１人当たりの携帯枚数も極めて多いために、カードの簡易な管理方法が求められている。
【０００５】
このような、汎用型のカードの管理方法としては、特許文献１のような、移動通信端末装置を使用した方法が提案されている。
【０００６】
特許文献１の移動通信端末装置は、クレジットカード等のカード情報を記録したクレジット用ＲＯＭと磁気ライタと磁気ストライプ（磁気カード）を備えている。この磁気カードは移動通信端末装置内のスロットに挿脱着できるようになっている。そして、この移動通信端末装置は、通話モードとカードモードの少なくとも２種類のモード設定が可能となっている。このクレジット用ＲＯＭに対しては、専用のＲＯＭリーダ／ライタ、或いは、クレジット会社が有する専用のサーバからのみアクセスが可能である。ユーザがクレジットを利用する場合は、ユーザの所定の操作により、移動通信端末装置がカードモードに設定される。そして、ユーザの所定の操作により、クレジット利用の処理が開始される。移動通信端末装置の制御部は、クレジット用ＲＯＭに記憶されている全てのクレジット契約情報を読み出し、それらのクレジット会社名を移動通信端末装置の液晶ディスプレイに表示する。ユーザは表示されたクレジット会社の中から、所望のクレジット会社をキー操作により選択・入力する。そして、選択された会社のクレジット契約情報を磁気ライタに与え、磁気ライタは、与えられたクレジット契約情報を磁気カードの磁気ストライプに書き込む。クレジット契約情報が磁気ストライプに書き込まれる。そして、磁気カードの磁気ストライプの情報を店舗に設置されているＣＡＴ端末で読み込み、クレジット会社のクレジットサーバにアクセスし、購入金額等の送信とカードの認証が行われる。カードに問題がなければ購入金額が決済される。
【０００７】
このように、特許文献１の移動通信端末装置を使用することによって、契約している複数社のクレジットカードの全部を携帯している必要はない。移動通信端末装置に共通の磁気カードを内蔵しておくことによって、この磁気カードのストライプに使用する会社のクレジットカード情報を書き込んで、この磁気カードをＣＡＴ(Credit Authorization Terminal)端末で使用することができる。
【０００８】
【特許文献１】特開２００１−１６９３５７号公報（段落００１７〜０１０８、図1〜図３）
【発明の開示】
【発明が解決しようとする課題】
【０００９】
上記の特許文献に開示されている移動通信端末装置およびそれを用いたカード管理方法では、クレジットカード等の磁気カードの携帯枚数を減らすことができるが、次のような問題点があった。
（１）ポイントカードの管理ができない。
（２）バーコード（２次元コード含む）付カードの管理ができない。
（３）買い物等に行った場合、カードが使用できる店舗を探すのに時間がかかる。
（４）移動通信端末装置にカード情報を保存しておくためのメモリが余分に必要である。
（５）多数のカードが登録されていると目的のカード情報を選択するのに時間がかかる。
（６）カード情報を基に店舗でのセール情報などの付加情報を提供することができない。
【００１０】
本発明はこのような問題を解決するためになされたもので、磁気カードおよびバーコード付カードの管理ができる携帯通信端末およびそれを用いたカード情報管理システムを提供することを目的とする。
【課題を解決するための手段】
【００１１】
本発明の携帯通信端末の構成は、無線基地局との間で無線信号を送受する無線通信部と、磁気記録情報読み取り部と、バーコード情報読み取り部と、磁気記録情報読み取り部およびバーコード情報読み取り部が読み取った情報を表示する表示部と、を備えていることを特徴とする。
【００１２】
上記の本発明の携帯通信端末において、磁気記録情報読み取り部は、磁気リーダを使用することができる。また、バーコード情報読み取り部としては、カメラを用いることができる。磁気リーダは磁気ライタ機能を備えることができる。
【００１３】
上記の本発明の携帯通信端末は、さらに、音声信号処理を行う送受話部やＧＰＳ測位部を備えることができる。
【００１４】
また、本発明のカード情報管理システムは、利用者情報を含むカード情報が記録されたカードと、該カードからカード情報を読み取る読取手段を有する携帯通信端末と、該携帯通信端末が読み取ったカード情報を格納する記憶手段を有する情報サーバ装置と、を備える。そして、カード情報管理システムの携帯通信端末には、上記の本発明の携帯通信端末が使用される。本発明の情報サーバ装置は、携帯通信端末からの要求に応じて、受信したカード情報の登録と、登録したカード情報の読出・送信および削除とを制御する制御手段を備える。そして、該制御手段は、携帯通信端末の端末位置情報、携帯通信端末の利用者が保持するカードの保持カード情報、およびカードの利用店舗情報に基づき所定のカード情報を抽出し、携帯通信端末に送信する機能を備える。また、本発明のカード情報管理システムの携帯通信端末は、情報サーバ装置から受信したカード情報を、カードに書き込む書込手段を備える。
【発明の効果】
【００１５】
本発明の携帯通信端末は、磁気リーダおよびバーコード（２次元コード含む）情報を読み取るカメラを備えているために、種々の汎用カードの管理が可能である。
【００１６】
また、本発明のカード情報管理システムでは、磁気リーダで読み取った情報およびカメラで読み取ったバーコード情報が、情報サーバ装置に格納・管理されるために、携帯通信端末のメモリを節約できる。そして、本発明のカード情報管理システムでは、情報サーバ装置に格納されたカード情報は、必要に応じて利用者の携帯通信端末にダウンロードされるので、利用者がカードを多数携帯するという不自由を解消することができる。
【発明を実施するための最良の形態】
【００１７】
次に本発明を実施するための最良の形態について図面を参照して説明する。
【００１８】
図１は、本発明の第１の実施の形態の携帯通信端末の構成を示すブロック図である。
【００１９】
本発明の第１の実施の形態の携帯通信端末は、無線基地局との間で無線信号を送受する無線通信部１０１と、磁気記録情報読取り部１１５と、バーコード情報読取り部１１６とを備えている。
【００２０】
さらに、携帯通信端末は、各種情報入力を行う主操作部１０５と、記憶部１１１と、副操作部１０６と、主表示部１０９と、副表示部１１０と、携帯通信端末の各部制御を行う制御部１１２とを備えて構成される。
【００２１】
主表示部１０９および副表示部１１０は、液晶表示装置や有機エレクトロルミネッセンス装置等の表示装置を用いることができる。
【００２２】
主操作部１０５は、テンキー、スクロール／決定キー等から構成される。副操作部１０６は、携帯通信端末が、ヒンジ部を軸に相互に回転して折り畳み可能な第一の筺体および第二の筺体を備える場合に、閉じた状態でも操作可能とされる。
【００２３】
副操作部１０６は、カード情報の登録、閉じた状態のままで、磁気リーダおよびカメラの起動や、主表示部１０９または副表示部１１０に、メニューを表示し、カード情報の登録操作を実行するのに使用される。その他、副操作部１０６は、カード情報の読出しや、主表示部１０９または副表示部１１０に、メニューを表示し、事前に携帯通信端末内の記憶部１１１に格納されているカード情報を読み出すのに使用される。
【００２４】
記憶部１１１は、送受信メール情報、発着呼情報や携帯通信端末の各種設定を記憶する。制御部１１２は、携帯通信端末の各部の制御を行う。
【００２５】
このように、本発明の第１の実施の形態の携帯通信端末は、磁気記録情報読取り部１１５と、バーコード情報読取り部１１６とを備え、各種情報カードの読み取りが可能である。磁気記録情報読取り部１１５には、磁気リーダが使用でき、また、バーコード情報読取り部１１６には、カメラを使用することができる。カメラは、通常の人物や風景の撮影にも兼用される。また、磁気リーダには磁気ライタ機能も備えたものも使用できる。
【００２６】
次に、上記の本発明の第１の実施の形態の携帯通信端末の動作について図１を参照して説明する。図１の携帯通信端末は、無線通信機能を有している。即ち、外部の携帯通信端末等から無線基地を経由して情報を受信する場合には、制御部１１２の制御によって無線通信部１０１で受信する。受信した情報は、記憶部１１１に保存すると同時に、主表示部１０９または副表示部１１０に制御部１１２の制御によって表示する。逆に、外部の無線基地を経由して、外部の携帯通信端末等に情報を送信する場合には、制御部１１２の制御のもとに、主操作部１０５によって情報を入力し、同時に主表示部１０９にその内容を表示する。そして、主操作部１０５の決定キーによって送信を決定すると、無線通信部１０１から外部無線基地を経由して目的の外部携帯通信端末等に情報が送信される。図１の携帯通信端末を用いてカード情報を取り込む場合には、磁気記録情報読取り部１１５（磁気リーダ等）またはバーコード情報読取り部１１６（カメラ等）が使用される。例えば、磁気カード情報を取り込む場合には、副操作部１０６を操作して、磁気記録情報読取り部１１５によって磁気カード情報を読み込む。読み込んだ情報の内容は、主表示部１０９に表示されると同時に、記憶部１１１に一旦保存される。この磁気カード情報は、無線通信部によって、外部の情報サーバ装置等の記憶装置に送信・保存することができる。外部の情報サーバ装置等に送信した磁気カード情報は、記憶部１１１から削除することができる。
【００２７】
次に、本発明の第２の実施の形態の携帯通信端末について図面を参照して説明する。
【００２８】
図２は、本発明の第２の実施の形態の携帯通信端末の構成を示すブロック図である。また、図３は、本発明の第２の実施の形態の携帯通信端末の外観を示す平面図である。本実施の形態では、携帯通信端末として、携帯電話機を例に上げて説明する。
【００２９】
図２および図３を参照すると、本発明の第２の実施の形態の携帯通信端末は、上部筐体１と下部筐体２がヒンジ３を介して開閉可能に結合された折畳み型の携携帯電話機である。携帯通信端末は、無線基地局との間で無線信号を送受する無線通信部１０１と、下部筐体２の側面に配設された磁気リーダ部１０３と、上部筐体１（または下部筐体２）の外面側に配設されたカメラ部１０４とを備えている。また、本実施の形態の携帯通信端末は、ＧＰＳ（全地球測位システム）衛星からの信号を受信して自機位置の測位を行う測位部１０２を備えている。磁気リーダ部１０３は、カード５０に記録（貼付）された磁気記録媒体から情報を読み取る。また、カメラ部１０４は、画像撮影が可能であり、該撮影機能によりカード５０に記録（貼付）されたバーコード（２次元コード含む）の情報の読み取りを行う。
【００３０】
さらに、本実施の形態の携帯通信端末は、各種情報入力を行う主操作部１０５と、音声信号処理を行う送受話部１０７と、記憶部１１１と、下部筐体２の内面側に配設された主操作部１０５と、下部筐体２の側面（または上部筐体１の外面側）に配設された副操作部１０６とを備えている。さらに、本実施の形態の携帯通信端末は、音声信号処理を行う送受話部１０７と、上部筐体１の内面側に配設された主表示部１０９と、上部筐体１の外面側に配設された副表示部１１０と、携帯通信端末の各部制御を行う制御部１１２とを備えている。
【００３１】
主操作部１０５は、テンキー、スクロール／決定キー等から構成される。副操作部１０６は、上部筐体１と下部筐体２が閉じた状態でも操作可能であり、その機能は、上記の第１の実施の形態の携帯通信端末と同様である。送受話部１０７には、マイク１１３およびスピーカ１１４（受話用）が接続される。記憶部１１１は、電話帳情報、送受信メール情報、発着呼情報、携帯通信端末の各種設定を記憶する。制御部１１２は、携帯通信端末各部の制御を行い、電話機能、メール機能、カメラ機能、磁気リーダ機能等の携帯通信端末の各部制御を行う。主表示部１０９および副表示部１１０は、液晶表示装置や有機エレクトロルミネッセンス装置等の表示装置を用いることができる。
【００３２】
次に、上記の本発明の第２の実施の形態の携帯通信端末の動作について図２を参照して説明する。図２の携帯通信端末は、無線通信機能を有している。即ち、外部の携帯通信端末等から無線基地を経由して情報を受信する場合には、制御部１１２の制御によって無線通信部１０１で受信する。受信した情報は、記憶部１１１に保存すると同時に、主表示部１０９または副表示部１１０に制御部１１２の制御によって表示する。逆に、外部の無線基地を経由して、外部の携帯通信端末等に情報を送信する場合には、制御部１１２の制御のもとに、主操作部１０５によって情報を入力し、同時に主表示部１０９にその内容を表示する。そして、主操作部１０５の決定キーによって送信を決定すると、無線通信部１０１から外部無線基地を経由して目的の外部携帯通信端末等に情報が送信される。図２の携帯通信端末を用いてカード情報を取り込む場合には、磁気リーダ部１０３またはカメラ部１０４が使用される。例えば、磁気カード情報を取り込む場合には、副操作部１０６を操作して、磁気リーダ部１０３によって磁気カード情報を読み込む。読み込んだ情報は、記憶部１１１に一旦保存される。この磁気カード情報は、無線通信部によって、外部の情報サーバ装置等の記憶装置に送信・保存することができる。外部の情報サーバ装置等に送信した磁気カード情報は、記憶部１１１から削除することができる。なお、図２の携帯通信端末は、通常の携帯電話の機能を有し、外部の携帯通信端末と送受話部１０７によって通話ができる。
【００３３】
次に上記の本発明の第２の実施の形態の携帯通信端末を用いたカード情報管理システムの実施の形態について図面を参照して説明する。
【００３４】
図４は、本発明のカード情報管理システムの構成を示すブロック図である。図４を参照すると、本発明のカード情報管理システムは、利用者ＩＤ(Identification)を含むカード情報が記録されたカード５０と、カード５０の発行店舗等に配置される店舗端末２００と、カード５０からカード情報を読み取るための画像撮影機能、磁気リーダ機能を備えた携帯通信端末１００とを備えている。携帯通信端末１００は、図２と同じ構成のものである。
【００３５】
さらに、本発明のカード情報管理システムは、通信インターフェースを介して携帯通信端末１００から送信されたカード情報を送受可能である。そして、本発明のカード情報管理システムは、該カード情報を記憶部に格納可能な情報サーバ装置３００と、携帯通信端末１００、店舗端末２００、および情報サーバ装置３００を相互に接続するインターネット等の通信ネットワーク４００と、を備えて構成されている。
【００３６】
以下に、本実施例のカード情報管理システムの動作について説明する。
【００３７】
まず、カード情報の登録を行う方法について説明する。図６は、図４のカード情報管理システムを用いてカード情報の登録を行う方法を説明するためのフローチャートである。
【００３８】
まず、ステップＳ１０１では、店舗、病院、スポーツクラブなどで、カード５０の発行を受けた利用者は、カード５０を携帯通信端末１００の磁気リーダ部１０３やカメラ部１０４を介して読み取る。カード５０は、磁気記録媒体、或いはバーコード（２次元コード含む）カードである。カード５０には、例えば、ポイントカード、予約カード、プリペイドカード、メンバーズカード等がある。
【００３９】
カード５０に記録されているカード情報は、利用者と予め所定の契約が結ばれている情報サーバ装置３００に送信され格納される。すなわち、利用者は携帯通信端末１００により情報サーバ装置３００に接続し（ステップＳ１０２）、所定のユーザ認証をしてもらう（ステップＳ１０３〜Ｓ１０７）。なお、ステップＳ１０３〜Ｓ１０６のＩＤは利用者情報を意味し、ＰＷはパスワードを意味する。
【００４０】
次に、希望する処理を主操作部１０５の操作入力により選択する（ステップＳ１０８〜Ｓ１１０）。この場合は、カード情報の登録、カード情報の読出し、ユーザ設定からカード情報登録を選択する。
【００４１】
その後、読み取ったカード情報を無線通信部１０１を介して送信する（ステップＳ１１１〜Ｓ１１３）。なお、カード情報の送信とともにカードの属性情報（カード発行店舗等の情報）を必要に応じて利用者が携帯通信端末の主操作部１０５から入力・送信し、併せて情報サーバ装置３００に記録しても良い。
【００４２】
携帯通信端末１００から通信インターフェースを介してカード情報を受信した情報サーバ装置３００は、該カード情報を記憶部に格納する（ステップＳ１１４〜Ｓ１１５）。そして、利用者が情報サーバ装置３００に格納している保持カード情報（一覧）を更新して携帯通信端末１００に送信する（ステップＳ１１６〜Ｓ１１７）。
【００４３】
次に、カード情報のカード情報の読出しを行う方法について説明する。図７は、図４のカード情報管理システムを用いてカード情報の読出しを行う方法を説明するためのフローチャートである。
【００４４】
まず、利用者がカード発行店舗等でカードを利用しようとする場合、利用者は携帯通信端末１００により情報サーバ装置３００に接続する（ステップＳ２０１）。所定のユーザ認証の後（ステップＳ２０２〜Ｓ２０６）、希望する処理を主操作部１０５によって選択する（ステップＳ２０７〜Ｓ２０９）。この場合は、カード情報の登録、カード情報の読出し、ユーザ設定からカード情報読出を選択する。
【００４５】
その後、情報サーバ装置３００から送信される保持カード情報（利用者の登録カード情報の一覧）から所望のカード情報の読出しを要求する（ステップＳ２１０〜Ｓ２１２）。そして、情報サーバ装置３００からカード情報を受信する（Ｓ２１３〜Ｓ２１６）。情報サーバ装置３００からのカード情報は、主表示部１０９や副表示部１１０に利用者が店舗等でのカードの使用に支障がない形で出力する（ステップＳ２１８）。例えば、図５（ｂ）に示すようなバーコード表示として出力する。
【００４６】
携帯通信端末１００の磁気リーダ部１０３が磁気ライタ（磁気情報の書き込み）機能を有するものであれば、データ書き込み用カードを１枚用意しておく。そして、使用する度に情報サーバ装置３００からカード情報を該データ書き込み用カードに書き込み、使用するようにしても良い。また、カード利用の度にデータが書き換えられるようなカード情報については、携帯通信端末１００にカード情報を送信した情報サーバ装置３００が、記憶部に記憶するカード情報を削除する（ステップＳ２１７・Ｓ２１９）。このように、カード情報を削除することで、情報の２重管理防止を行っても良い。
【００４７】
次に、本発明のカード情報管理システムを用いた他のカード管理方法について図８のフローチャートを用いて説明する。本管理方法では、携帯通信端末１００からのカード情報の読出し要求でカード情報を情報サーバ装置３００から読み出すのではなく、携帯通信端末１００の位置情報に応じて、情報サーバ装置３００から自動的にカード情報を送信するものである。
【００４８】
図８に示すように、情報サーバ装置３００には、携帯通信端末１００からのカード情報や店舗端末２００からの店舗情報（店舗の位置情報、広告情報、ポイント還元情報等）が事前に送られ、該情報は記憶部に格納されている（ステップＳ３０１〜Ｓ３０２）。本実施例のカード情報管理システム利用者の携帯通信端末１００は、定期的、或いは所定のタイミングで測位（ＧＰＳ）部１０２による測位が行われ、該情報は情報サーバ装置３００に送られる（ステップＳ３０３）。なお、携帯通信端末１００の位置情報は、図示しない携帯通信基地局装置により取得されたものであってもよい。即ち、携帯通信端末１００に図２のような測位部１０２を設けずに、携帯通信基地局装置により取得された位置情報を活用してもよい。
【００４９】
情報サーバ装置３００の制御部は、情報サーバ装置３００の通信インターフェースを介して携帯通信端末１００の位置情報を取得し、記憶部に記憶する店舗情報（店舗の位置情報）および利用者の保持カード情報との照合を行う（ステップＳ３０４）。携帯通信端末１００の現在位置近傍（例えば、半径１００ｍ以内）に利用者がカードを保持する店舗があれば、該カード情報を読み出す（ステップＳ３０５）。
【００５０】
さらに、カード情報にポイント情報が含まれている場合や、店舗端末から送信・格納された当該店舗の店舗情報を参照して所定の条件を満たせば（例えば、当該店舗でポイント５倍セールを行っているなど）、カード情報とともに所定の報知コマンドを携帯通信端末１００に送信する（ステップＳ３０７〜Ｓ３０９）。携帯通信端末１００は、店舗近傍に移動することで自動的にカード情報を受信し、所定の条件を満たせば、図５（ａ）に示すように、表示部への報知が行われる。なお、駅周辺など利用店舗等が重なる地域（所定地域におけるカード情報の格納店舗が複数ある）では、事前の利用者による登録による優先順位付けや、現在のカード情報の内容（ポイント数）などに応じて、携帯通信端末１００に送信するカード情報が選択されるようにしても良い。
【００５１】
本カード管理方法によれば、携帯通信端末１００の位置情報に応じて、情報サーバ装置３００から自動的にカード情報が自動送信されるので、操作の手間が省かれ、利用者の利便性が向上する。
【００５２】
上記の本発明のカード管理システムでは、携帯通信端末１００は、携帯電話を例に説明したが、無線通信部、測位部、磁気リーダ部、カメラ部を備えているＰＤＡ（個人用の携帯情報端末：Personal Digital Assistance）等の情報通信端末も、本発明のカード管理システムの携帯通信端末に使用できることは、言うまでもない。
【００５３】
ＩＣチップ内蔵カード用のリーダ／ライタ部との組み合わせることも可能で、その場合には、ＩＣチップ内蔵カードの情報も本発明のカード管理システムにて一元的に扱うことができる。
【産業上の利用可能性】
【００５４】
本発明の携帯通信端末は、通常の携帯電話やＰＤＡ等の情報端末装置に使用できるばかりでなく、磁気カードやバーコード付カードの汎用カードの管理システムの端末装置として使用できる。
【図面の簡単な説明】
【００５５】
【図１】本発明の第１の実施の形態の携帯通信端末の構成を示すブロック図である。
【図２】本発明の第２の実施の形態の携帯通信端末の構成を示すブロック図である。
【図３】図２の携帯通信端末の外観を示す平面図である。
【図４】本発明のカード情報管理システムの構成を示すブロック図である。
【図５】本発明の携帯通信端末の主表示部または副表示部の表示例を示す図である。
【図６】図４のカード情報管理システムを用いてカード情報の登録を行う方法を説明するためのフローチャートである。
【図７】図４のカード情報管理システムを用いてカード情報の読出しを行う方法を説明するためのフローチャートである。
【図８】本発明のカード情報管理システムを用いたカード管理方法の他の例を説明するためのフローチャートである。
【符号の説明】
【００５６】
１  上部筐体
２  下部筐体
３  ヒンジ
５０  カード
１００  携帯通信端末
１０１  無線通信部
１０２  測位部
１０３  磁気リーダ部
１０４  カメラ部
１０５  主操作部
１０７  送受話部
１１１  記憶部
１０６  副操作部
１０９  主表示部
１１０  副表示部
１１２  制御部
１１４  スピーカ
１１５  磁気記録情報読取り部
１１６  バーコード情報読取り部
３００  情報サーバ装置
４００  通信ネットワーク
【図１】
2005277691.tif 000003
【図２】
2005277691.tif 000004
【図３】
2005277691.tif 000005
【図４】
2005277691.tif 000006
【図５】
2005277691.tif 000007
【図６】
2005277691.tif 000008
【図７】
2005277691.tif 000009
【図８】
2005277691.tif 000010